(57)【要約】【課題】２回路のスイッチングを単一の鍵スイッチ装置で可能とすること。【解決手段】内筒２の回転と連動して回転する可動子８と可動子８の回転角度に応じて可動子８と接触状態が変わる端子１３とからなり、内筒２が第一状態にあるか内筒２が所定角度まで回転した第二状態にあるかの違いによってスイッチングする第一スイッチと、内筒２をその基端側に付勢するスプリング７と、外筒３の内側に設けられ内筒２を軸方向に移動可能とする移動空間である間隙３１ｂ、間隙３２ａ、溝３４ｂ及び間隙６２ｂと、内筒２の先端側に設けられ内筒２の軸方向の移動により押圧されるか否かによりスイッチングするタクトスイッチ１１とを備える。【選択図】図５
2019114420.tif 000002
【特許請求の範囲】
【請求項１】
ディスクシリンダーを内蔵した円筒状の内筒と、
前記内筒の一端側に開口し、前記内筒の軸方向に鍵を差し込み可能な鍵穴と、
前記内筒をその周方向に回転可能に収納した外筒と、
前記内筒の前記外筒内における周方向の移動を所定角度までに留めるように係止する係止部と、
前記内筒の他端側に設けられ前記内筒の回転と連動して回転する可動接点と前記可動接点の回転角度に応じて当該可動接点との接触状態が変わる固定接点とを備え、第一状態及び当該第一状態から所定角度まで回転した第二状態でスイッチングする第一スイッチと、
前記内筒を前記一端側に付勢する付勢部材と、
前記外筒の内側に設けられ当該内筒を軸方向に移動可能とする移動空間と、
前記内筒の前記他端側に設けられ当該内筒の軸方向の移動により前記他端側から押圧されるか否かによりスイッチングする第二スイッチと、を備えることを特徴とする鍵スイッチ装置。
【請求項２】
前記第一状態及び前記第二状態のいずれの場合にも前記第二スイッチのスイッチングができるように構成されていることを特徴とする請求項１に記載の鍵スイッチ装置。
【請求項３】
前記第一状態及び前記第二状態のうち、前記第二状態のときにのみ前記第二スイッチのスイッチングができるように構成されていることを特徴とする請求項１に記載の鍵スイッチ装置。
【発明の詳細な説明】
【技術分野】
【０００１】
本発明は、鍵スイッチ装置に関する。
【背景技術】
【０００２】
特許文献１には、ディスクシリンダー錠を用いた鍵スイッチ装置の構造が開示されている。この鍵スイッチ装置は、内筒と当該内筒が収納される外筒とを備えている。この鍵スイッチ装置は、鍵穴に正しい鍵を差し込むことにより、内筒を所定角度回転させることが可能となる。そして、この内筒を回転させる前の状態にあるか回転させた後の状態にあるかによって、可動接点と固定接点との接触状態が変動し、スイッチの切換えがなされる。
【先行技術文献】
【特許文献】
【０００３】
【特許文献１】特開２０１５−６０６７８号公報
【発明の概要】
【発明が解決しようとする課題】
【０００４】
しかし、既存の鍵スイッチ装置を用いた場合、２回路のスイッチングを行うためには少なくとも２つの鍵スイッチ装置を用意することが必要となる。これにより、鍵スイッチ装置を搭載する電子機器の部品コストが増加するとともに、２つの鍵スイッチ装置分の搭載スペースも確保しなければならない。
【０００５】
そこで、本発明の課題は、２回路のスイッチングを単一の鍵スイッチ装置で可能とすることである。
【課題を解決するための手段】
【０００６】
本発明は、ディスクシリンダーを内蔵した円筒状の内筒と、前記内筒の一端側に開口し、前記内筒の軸方向に鍵を差し込み可能な鍵穴と、前記内筒をその周方向に回転可能に収納した外筒と、前記内筒の前記外筒内における周方向の移動を所定角度までに留めるように係止する係止部と、前記内筒の他端側に設けられ前記内筒の回転と連動して回転する可動接点と前記可動接点の回転角度に応じて当該可動接点との接触状態が変わる固定接点とを備え、第一状態及び当該第一状態から所定角度まで回転した第二状態でスイッチングする第一スイッチと、前記内筒を前記一端側に付勢する付勢部材と、前記外筒の内側に設けられ当該内筒を軸方向に移動可能とする移動空間と、前記内筒の前記他端側に設けられ当該内筒の軸方向の移動により前記他端側から押圧されるか否かによりスイッチングする第二スイッチと、を備えることを特徴とする。
【０００７】
本発明によれば、第一スイッチ及び第二スイッチの２回路のスイッチのスイッチングを１台の鍵スイッチ装置で行うことができる。これにより、鍵スイッチ装置を搭載する電子機器の部品コストの低減や搭載スペースの縮小化を図ることができる。
【０００８】
前記の場合に、前記第一状態及び前記第二状態のいずれの場合にも前記第二スイッチのスイッチングができるように構成されていることが好ましい。
また、前記第一状態及び前記第二状態のうち、前記第二状態のときにのみ前記第二スイッチのスイッチングができるように構成されていることが好ましい。
【発明の効果】
【０００９】
本発明によれば、２回路のスイッチングを単一の鍵スイッチ装置で可能とすることができる。
【図面の簡単な説明】
【００１０】
【図１】本発明の一実施形態である鍵スイッチ装置の斜視図である。
【図２】本発明の一実施形態である鍵スイッチ装置の分解斜視図である。
【図３】本発明の一実施形態である鍵スイッチ装置の縦断面図である。
【図４Ａ】本発明の一実施形態である鍵スイッチ装置の内筒を上側から視た斜視図である。
【図４Ｂ】本発明の一実施形態である鍵スイッチ装置の内筒を下側から視た斜視図である。
【図５】本発明の一実施形態である鍵スイッチ装置の上部の縦断面図である。
【図６Ａ】本発明の一実施形態である鍵スイッチ装置の回転子を上側から視た斜視図である。
【図６Ｂ】本発明の一実施形態である鍵スイッチ装置の回転子を下側から視た斜視図である。
【図７Ａ】本発明の一実施形態である鍵スイッチ装置のカバーを上側から視た斜視図である。
【図７Ｂ】本発明の一実施形態である鍵スイッチ装置のカバーを下側から視た斜視図である。
【図８】本発明の一実施形態である鍵スイッチ装置のベースとその周囲の部材の縦断面図である。
【図９Ａ】本発明の一実施形態である鍵スイッチ装置の外筒の上面図である。
【図９Ｂ】本発明の一実施形態である鍵スイッチ装置の外筒の上側から視た斜視図である。
【図９Ｃ】本発明の一実施形態である鍵スイッチ装置の外筒のＡ−Ａ切断断面図である。
【図９Ｄ】図９Ｃの外筒のＢ−Ｂ切断断面図である。
【図１０】図５のＣ−Ｃ切断断面図である。
【図１１】本発明の一実施形態である鍵スイッチ装置の上部において第一状態で内筒を押下した状態を示す縦断面図である。
【図１２】本発明の一実施形態である鍵スイッチ装置の上部において第二状態で内筒を押下していない状態を示す外筒の一部を切欠いた正面図である。
【図１３】本発明の一実施形態である鍵スイッチ装置の上部において第二状態で内筒を押下した状態を示す外筒の一部を切欠いた正面図である。
【図１４Ａ】本発明の一実施形態である鍵スイッチ装置の変形例を示す外筒の上面図である。
【図１４Ｂ】本発明の一実施形態である鍵スイッチ装置の変形例を示す外筒の上側から視た斜視図である。
【発明を実施するための形態】
【００１１】
以下、本発明の実施の形態について図面を参照して説明する。
図１は、本実施形態の鍵スイッチ装置１の斜視図であり、図２は、同鍵スイッチ装置１の分解斜視図である。鍵スイッチ装置１は、鍵１５を鍵穴２１に差し込んで回転させる場合と、押し込む場合とで別個の回路のスイッチングを行うことができるスイッチング機構である。鍵スイッチ装置１は、例えば、パチンコ、パチスロなどの電子機器に搭載される部品である。
【００１２】
鍵スイッチ装置１は、内筒２と、外筒３と、複数個のタンブラ５と、複数個のタンブラスプリング４と、回転子６と、付勢部材となるスプリング７と、第一スイッチの一部を構成する可動接点となる可動子８と、カバー９と、ラバー１０と、第二スイッチを構成するプッシュスイッチの一種であるタクトスイッチ１１と、端子１２と、第一スイッチの一部を構成する固定接点となる端子１３と、ベース１４とから主に構成されている。
【００１３】
図３は、鍵スイッチ装置１の縦断面図である。図３においては、主に前記の各部材についてのみ符号を付している。鍵スイッチ装置１は、正しい鍵１５を鍵穴２１に差し込んで内筒２を外筒３に対して周方向に所定角度回転させることができる。図３は、内筒２を回転させていない状態（初期状態）を示している。この状態を「第一状態」と呼ぶことにする。これに対して、正しい鍵１５を鍵穴２１に差し込んで内筒２を外筒３に対して周方向の所定方向（時計方向又は反時計方向）に所定角度（例えば、９０°程度）回転させた状態を「第二状態」と呼ぶことにする。
【００１４】
図４Ａは、内筒２を上側から視た斜視図であり、図４Ｂは、内筒２を下側から視た斜視図である。図５は、鍵スイッチ装置１の上部の縦断面図である。図４Ａ、図４Ｂ、図５に示すように、内筒２は、外筒３に収納されており、鍵１５と同期して回転する部材である。また、内筒２は、外筒３に対して軸方向に移動するように構成されている。内筒２は、フランジ部２３と、大径部２８と、中径部２９と、先端部３０とで構成されている。
【００１５】
内筒２の一端側の端部には鍵穴２１が開口し、内筒２の軸方向に鍵１５を差し込み可能である。内筒２は、ディスクシリンダーを内蔵している。すなわち、内筒２の円筒状の側面にはタンブラ収納部２２が設けられ、このタンブラ収納部２２には、複数個（本例で３個）のタンブラ５（図２参照）が内筒２の軸方向に並設されている。また、タンブラ収納部２２には、各タンブラ５を付勢する複数個（本例で３個）のタンブラスプリング４（図２参照）も収納されている。タンブラ５はタンブラスプリング４によって外側に向けて先端部が飛び出すように付勢されるが、鍵穴２１に鍵１５を差し込まれることにより内筒２内に退避する。このようなディスクシリンダーの機構については周知であるため、詳細な説明は省略する。
【００１６】
フランジ部２３は、円板状を呈し、鍵穴２１が開口している。フランジ部２３の下部には径外方向に突出する一対の凸部２４が設けられている。この一対の凸部２４は、いずれも内筒２の径方向の直径上に位置するように対向して配置されている。大径部２８は、略円柱状を呈する。大径部２８は、フランジ部２３に連続し、前記したタンブラ収納部２２を備えている。中径部２９は、大径部２８に連続し、円柱状を呈する。中径部２９は、大径部２８よりも小径に形成されている。先端部３０は、中径部２９に連続し、先端側に向けて突出する二股形状になっている。図４Ｂに示すように、先端部３０の内部には円柱状の中空部２５ａが軸方向に延設されている。また、先端部３０には、中空部２５ａに連続するとともに外側に開口する切欠き溝２５ｂ，２５ｂが形成されている。
【００１７】
先端部３０の外周面には、中径部２９に連続し先端側に向けて延設される延設部２６が形成されている。延設部２６は、断面矩形を呈する。延設部２６は、切欠き溝２５ｂから周方向に９０°位相ずれしつつ、対向して一対配置されている。また、中径部２９の外周面と、延設部２６の外周面は面一になっている。
【００１８】
また、先端部３０の下部には径外方向に突出する突出部２７が形成されている。突出部２７は、切欠き溝２５ｂから周方向に９０°位相ずれしつつ、対向して一対配置されている。
【００１９】
図５に示すように、この中空部２５ａ内にはスプリング７及び可動子８が収納されている。円柱状の可動子８は、軸方向と直交するように、中空部２５ａの先端側に挿入されている。スプリング７の一端側は内筒２の内部に当接しており、他端側は可動子８に当接されている。可動子８の両端は、切欠き溝２５ｂ，２５ｂを介して先端部３０よりも外側に突出するように配置されている。内筒２は、スプリング７によって上方（一端側）に付勢されている。可動子８は、高さ位置は変わらずに、内筒２の回転と同期して回転するように構成されている。また、切欠き溝２５ｂ，２５ｂ内を可動子８が挿通するため、内筒２が軸方向に移動可能となっている。
【００２０】
図６Ａは、回転子６を上側から視た斜視図であり、図６Ｂは、回転子６を下側から視た斜視図である。図６Ａ、図６Ｂ、図５に示すように、回転子６は、内筒２が挿入することで、内筒２の先端部３０の外側に配置される。回転子６は内筒２と同期して回転することにより、内筒２の周方向の回転を規制する部材である。また、回転子６は、内筒２の軸方向の位置を規制する部材である。
【００２１】
回転子６は、本体部６３と、一対の突起部６４と、一対の弾性部６５と、摺動部６６とで主に構成されている。本体部６３は、リング状を呈し、軸方向に貫通する孔６１を備えている。孔６１の形状は、内筒２の先端部３０が挿入されるようになっており、直線状の一対の側面と、円弧状の一対の局面とで構成されている。孔６１の一対の側面には、それぞれ互いに対峙するように段差部６２，６２が設けられている。この一対の段差部６２には内筒２の一対の延設部２６が略隙間なく嵌合される（図５）。これにより、内筒２と回転子６は周方向に同期して回転する。また、段差部６２の深さは、延設部２６の軸方向の長さよりも長くなっているため、第一状態において段差部６２と延設部２６との間には間隙６２ｂが形成されている。第一状態において内筒２が押下されると間隙６２ｂ（図５）内を延設部２６が移動する。
【００２２】
本体部６３の一端側の端面には、段差部６２の径方向外側に一対の突起部６４が設けられている。周方向において、一対の突起部６４と、一対の段差部６２とは対応する位置に形成されている。突起部６４は鍵穴２１側に向かって突出している。また、回転子６の各突起部６４の下部には、下方に向かって延出している薄板形状の弾性部６５が設けられている。弾性部６５の先端側は自由端になっている。各弾性部６５の先端部には、回転子６の径外方向に向かって延出し、先端が円弧形状の摺動部６６が設けられている。摺動部６６の先端部は外筒３の内周面に当接する。このとき弾性部６５は幾分内筒２側に撓み、その弾性力により摺動部６６を外筒３の内周面に向けて付勢する。回転子６の弾性部６５及び摺動部６６は、内筒２の先端部３０と間隔をあけて形成されている（図５参照）。
【００２３】
回転子６は、外筒３に対する軸方向位置は不変のまま、周方向に回転可能に外筒３に配置されている。図５に示すように、第一状態において、内筒２の先端部３０の突出部２７と、回転子６の本体部６３の他端側の端面６７に当接することにより、内筒２の一端側（上方）への移動を規制している。つまり、外筒３に対して内筒２の抜け止めがなされる。
【００２４】
図７Ａは、カバー９を上側から視た斜視図であり、図７Ｂは、カバー９を下側から視た斜視図である。図７Ａ、図７Ｂ、図５に示すように、カバー９は、外筒３内で回転子６よりも内筒２の先端側に回転子６と隣接して配置されている。カバー９は、ベース１４の先端側を覆うとともに、端子１３を保持する部材である。カバー９は、周方向に回転せず、軸方向にも移動しない部材である。
【００２５】
カバー９は、図７Ａ，７Ｂに示すように、リング状を呈する基体部９１と、一対の支持部材９３と、４つの張出部９４とで主に構成されている。基体部９１の中央には軸方向に貫通する円形の孔９１ａが形成されている。孔９１ａは、内筒２の先端部３０の外径よりも大きくなっている。基体部９１の上面から一段下がった位置に一対の段差平面９１ｂが形成されている。段差平面９１ｂは孔９１ａを挟んで対向して配置されている。段差平面９１ｂには、軸方向に貫通する長孔９２が形成されている。長孔９２には端子１３が挿入される（図５）。
【００２６】
支持部材９３は、段差平面９１ｂと対応する位置に一対形成されており、基体部９１の下面から下方に向けて延設されている。長孔９２は、支持部材９３よりも径外方向に配置されている。支持部材９３の径外方向の面は、長孔９２の内側の面から連続している平面である。カバー９の外周面のうち、他端側（下部）には径外方向に張り出す４つの張出部が形成されている。張出部は周方向に等間隔で形成されている。
【００２７】
カバー９の孔９１ａ内にはラバー１０が収納されている。ラバー１０は、大径部と小径部を備えている。ラバー１０の小径部は、孔９１ａに隙間なく配置される。ラバー１０の大径部はカバー９の内側の端面９１ｃ（図７Ｂ参照）に当接する。カバー９の端面９１ｃは、スプリング７により付勢されている可動子８の両端部を当該付勢力に抗して支持する。図５に示すように、可動子８の両端部が段差平面９１ｂ上に移動したときは、後述の端子１３の先端部１３ａ上に支持され、その溝１３ｂと係合する。
【００２８】
図８は、鍵スイッチ装置１のベース１４とその周囲の部材の縦断面図である。図８に示すように、ベース１４は、鍵スイッチ装置１において、カバー９よりも鍵穴２１側とは反対側（以下、「鍵スイッチ装置１の先端側」ということがある）の位置に設けられ、カバー９側の部分は外筒３内に収納され、鍵スイッチ装置１の先端側は外筒３外に露出している。ベース１４は、鍵穴２１側から視て略円形状の部材であり、カバー９よりも鍵穴２１側における径方向の内側には収納凹部１４１が設けられている。
【００２９】
収納凹部１４１の径方向の内側の２カ所及びその外側の２カ所には、それぞれベース１４を鍵スイッチ装置１の長手方向に貫通する２つの孔１４２と２つの孔１４３が貫通している。各孔１４２には端子１２が差し込まれている。この端子１２は、孔１４２の両端から露出している。端子１２の収納凹部１４１側から露出した部分には略コ字形をした受け凹部１２ａが設けられ、２つの受け凹部１２ａが収納凹部１４１内の内側に並設されている。この２つの受け凹部１２ａ上にはプッシュスイッチの一種であるタクトスイッチ１１が取付け部材９８により取り付けられている。そして、タクトスイッチ１１の鍵穴２１側にはラバー１０が接触している。各孔１４３には端子１３が差し込まれている。この端子１３は、孔１４３の両端から露出している。端子１３の収納凹部１４１からの露出部分は、収納凹部１４１の底面に沿うようにベース１４の径外方向にＬ字状に折れ曲がって延び、さらに、Ｌ字状に折れ曲がって収納凹部１４１の段差の側面に沿って延びて、鍵穴２１方向に延出している。その先端部１３ａは段差平面９１ｂ外に鍵穴２１側に向かって延びている。先端部１３ａの先端縁には略Ｖ字形状をした溝１３ｂが形成されている。この溝１３ｂは、可動子８が回転して先端部１３ａの先に位置したときに当該可動子８の軸方向端部と係合する。
【００３０】
ベース１４の鍵スイッチ装置１の先端側には、ベース１４の径方向内側に接続凹部１４６が形成されている。この接続凹部１４６にはコネクタ１４４が差し込まれて固定されている。コネクタ１４４には、各端子１２，１３の端部が接続され、各端子１２，１３はコネクタ１４４を介して外部の電子機器と電気的に接続することができる。ベース１４の側面で鍵穴２１側に寄った位置には一対の凸部１４５が設けられている。
【００３１】
図９Ａは、外筒３の上面図であり、図９Ｂは、外筒３の上側から視た斜視図であり、図９Ｃは、図９Ａの外筒３のＡ−Ａ切断断面図であり、図９Ｄは、図９Ｃの外筒３のＢ−Ｂ位置で切断した外筒３の切断断面図である。
図９Ａ、図９Ｂ、図５に示すように、外筒３の鍵穴２１側端部の開口部には内周面を一周して鍵穴２１側から視て円形の段差部３１が形成されている。この段差部３１は、内筒２が回転するときにフランジ部２３及び凸部２４の移動を妨げない径サイズ及び深さに構成されている。また、図５に示すように、段差部３１の段差底面３１ａは、フランジ部２３の裏面２３ａと対峙していている。第一状態、第二状態で内筒２がその先端側に向かって押圧されていないときには、段差底面３１ａと裏面２３ａとの間には、移動空間となる間隙３１ｂが空いている。
【００３２】
第一状態及び第二状態で内筒２がその先端側に向かって押圧されていないときには、カバー９の端面９１ｃ（図７Ａ）に支持されている可動子８に一端が当接しているスプリング７の付勢力により、内筒２は鍵穴２１側に付勢されている。一方、突出部２７と回転子６における内筒２の軸方向先端側の端面６７（図５、図６Ａ，図６Ｂ）とが当接しているので内筒２が鍵穴２１側に過度に突出することはない。これにより、鍵穴２１が形成されている内筒２の端面２１ａと外筒３の軸方向の一方の端縁３１ｃとは略面一状態にあるが、段差底面３１ａと裏面２３ａとの間に間隙３１ｂが空く。内筒２を鍵穴２１側から押圧したときは、フランジ部２３が間隙３１ｂを移動し、間隙３１ｂは移動空間となる。
【００３３】
図５、図９Ｃに示すように、内筒２のタンブラ５が収納されている大径部２８は内筒２の先端側より径サイズが大きい。しかし、第一状態及び第二状態で内筒２がその先端側に向かって押圧されていないときには、段差部３１より外筒３の内周面の内筒２の先端側に形成された段差部３２と、大径部２８の内筒２の先端側端部２８ａとの間には間隙３２ａが存在する。間隙３２ａは、内筒２の鍵穴２１側を押圧したときに大径部２８が通過する移動空間となる。なお、段差部３２の外筒３内側への張出部分は、段差部３１とともに、内筒２が外筒３内でぐらつかないように内筒２を支持している。
【００３４】
図５、図９Ａ、図９Ｂに示すように、外筒３の径方向の直径上には外筒３の筒内の空洞３３を挟んで一対の縦長溝３４ａが互いに対峙するように形成されている。この縦長溝３４ａは、段差底面３１ａから内筒２の先端側に向かって延び、その長さは、３つ並んだタンブラ５の存在位置に対応している。すなわち、縦長溝３４ａは、タンブラ５が飛び出しているときに当該タンブラ５と係合し、内筒２が回転しないようにするための溝である。
【００３５】
また、図５、図９Ａ、図９Ｂに示すように、外筒３の径方向の直径上には外筒３の筒内の空洞３３を挟んで一対の溝３４ｂが互いに対峙するように形成されている。この溝３４ｂの存在位置は、縦長溝３４ａとは内筒２の周方向に約９０°ずれている。この溝３４ｂは、縦長溝３４ａ同様、段差底面３１ａから内筒２の先端部に向かって延びているが、その長さは縦長溝３４ａより短い。溝３４ｂは、第１状態で、内筒２をその先端部側に向けて押圧したときに、凸部２４が沈み込み、内筒２の移動を可能とする移動空間となる部位である。
【００３６】
図１０は、図５のＣ−Ｃ切断断面図である。図９Ｄ、図１０に示すように、外筒３の長さ方向の中間位置で、外筒３の周方向における突起部６４が存在する位置と対峙する内周面には一対の係止部３５が空洞３３の中心に向かって延出している。係止部３５は、回転子６の突起部６４を係止することにより、内筒２の回転を第二状態にとどめ、それ以上回転しないようにする部材である。
【００３７】
前記したとおり、図５、図９Ｃに示すように、段差部３２の外筒３内側への張出部分は、段差部３１とともに、内筒２が外筒３内でぐらつかないように内筒２を支持している。この段差部３２の張り出し部分の内筒２の先端側の面３２ｃには、回転子６の突起部６４が当接していて、回転子６が面３２ｃより鍵穴２１側にずれないように係止している。また、前記のとおり、内筒２には突出部２７が形成されていて、この各突出部２７は回転子６の孔６１の周縁部に係合している。また、延設部２６は段差部６２に嵌合している。そのため、回転子６は内筒２と同期して移動する。
【００３８】
図９Ｃ、図１に示すように、外筒３の鍵スイッチ装置１の先端部側の端部から外筒３の長さ方向の中間位置に向かって４本の長溝３６が形成されている。この長溝３６は外筒３の周方向に略９０°間隔で形成されており、各長溝３６にはカバー９の４つの張出部９４が係合している。すなわち、長溝３６と張出部９４とが係合することにより、カバー９の周方向の回転が係止され、また、カバー９が所定位置より鍵穴２１側にずれないように係止している。
【００３９】
また、図１、図１０、図９Ｃに示すように、外筒３の鍵スイッチ装置１の先端側端部近傍には、外筒３の壁を貫通する一対の係合孔９７が形成されている。各係合孔９７には、ベース１４の凸部１４５がそれぞれ係合していて、ベース１４の外筒３からの脱落を防止している。
【００４０】
＜第一スイッチＯＦＦ、第二スイッチＯＦＦ＞
次に、鍵スイッチ装置１の作用効果について説明する。
第一状態（初期状態）にあるとき、各部材は図５に示すような位置関係にある。タンブラ５が外筒３の縦長溝３４ａに係合しているため、内筒２は周方向に回転しない。また、内筒２はスプリング７によって一端側（上方）に付勢されている。これにより、第一スイッチはＯＦＦ状態にあり、第二スイッチもＯＦＦ状態にある。
【００４１】
＜第一スイッチＯＮ、第二スイッチＯＦＦ＞
鍵スイッチ装置１の鍵穴２１に正しい鍵１５を差し込むと、各タンブラ５は内筒２内に退避して、内筒２と縦長溝３４ａとの係合が解除され、内筒２を周方向に回転させることが可能となる。この状態のまま鍵１５を操作して内筒２を時計方向又は反時計方向に回転させる。内筒２の延設部２６は段差部６２に嵌合している。そのため、このとき回転子６は内筒２と同期して回転する。内筒２を９０°程度回転させると、回転子６の突起部６４は係止部３５に係止され（図１０）、これにより、回転子６、ひいては回転子６と同期して回転する内筒２も、それ以上回転することができなくなる。この状態が第二状態である（図１２）。このとき、図１２に示すように、第一スイッチの可動接点となる可動子８が内筒２に連動して回転し、可動子８と第一スイッチの固定接点となる端子１３の先端とが接触し、可動子８の両端部が各溝１３ｂに係合する。これにより２本の端子１３は電気的に導通し、第一スイッチがＯＮになる。このとき、可動子８の両端部が各溝１３ｂに落ち込むので、そのときの衝撃で鍵１５の操作者は、感触や音で鍵スイッチ装置１が第二状態になったのを感知することができる。一方、内筒２はスプリング７によって一端側（上方）に付勢されているため、第二スイッチはＯＦＦのままである。
【００４２】
＜第一スイッチＯＦＦ、第二スイッチＯＮ＞
第一状態にあるときに、鍵１５を鍵穴２１に挿すことなく、あるいは鍵１５を挿した状態で、内筒２をその先端側に向けて押下することもできる。このとき、間隙３１ｂ、間隙３２ａ及び間隙６２ｂが移動空間となるので、内筒２は、フランジ部２３の裏面２３ａが段差底面３１ａと当接するまで押下することができる。このとき、溝３４ｂが外筒３の内側に形成されているので、凸部２４は溝３４ｂ内に沈み込み、内筒２の押下の妨げにはならない。すなわち、溝３４ｂも移動空間となる。もちろん、内筒２は外筒３の鍵穴２１側の内周を全体的に移動するので、この外筒３内の内筒２が移動する空間全体が移動空間であると言える。この第一状態で内筒２を押下した状態が図１１である。このとき、内筒２の先端部３０は、ラバー１０を介して、第二スイッチであるタクトスイッチ１１を押下する。これにより、タクトスイッチ１１がＯＦＦ状態からＯＮ状態になる。内筒２は周方向に回転させていないので、第一スイッチはＯＦＦのままである。なお、図１１の図示では、鍵１５を鍵穴２１に挿していない状態であるが、鍵１５を挿入した状態で第一スイッチＯＦＦ、第二スイッチＯＮとしてもよい。
【００４３】
＜第一スイッチＯＮ、第二スイッチＯＮ＞
同様に、図１３に示すように、第二状態でも、内筒２を押下して、第二スイッチであるタクトスイッチ１１をＯＦＦ状態からＯＮ状態にすることができる。この場合に、凸部２４は縦長溝３４ａに落ち込むので、内筒２の移動の妨げにはならない。
なお、内筒２を第一状態と第二状態との間の中間的な位置まで回転させても、内筒２を押下してタクトスイッチ１１をＯＦＦ状態からＯＮ状態にすることはできない。これは、当該中間的な位置では、溝３４ｂや縦長溝３４ａのような凸部２４が落ち込む空間がなく、凸部２４は段差底面３１ａに係止されてしまうからである。
【００４４】
以上説明した鍵スイッチ装置１によれば、第一スイッチ（可動子８と端子１３）と第二スイッチ（タクトスイッチ１１）との２回路のスイッチのスイッチングを１台の鍵スイッチ装置１の同じ部材（内筒２）の異なる操作（回転か押下か）により行うことができる。よって、鍵スイッチ装置１を搭載する電子機器の部品コストの低減や搭載スペースの縮小化を図ることができる。
【００４５】
また、図１３に示すように、内筒２を第二状態まで回転させて第一スイッチをスイッチングするのに続けて、第二スイッチをスイッチングすることができる。
さらに、図１１に示すように、第一スイッチをスイッチングしない第一状態のままで第二スイッチのスイッチングを行うこともできる。
【００４６】
なお、図１４Ａ、図１４Ｂに示すような、前記実施形態の変形例を用いてもよい。図１４Ａは、前記実施形態の変形例を示す外筒３の上面図であり、図１４Ｂは、前記実施形態の変形例を示す外筒３を上側から視た斜視図である。本変形例において、前記実施形態と同様な部材等には同一の符号を用い、詳細な説明は省略する。本変形例が、前記実施形態と相違するのは、外筒３の内周面に溝３４ｂが形成されていない点である。前記実施形態で溝３４ｂが形成されていた位置には段差底面３１ａが形成されている。
【００４７】
そのため、本変形例によれば、第一状態では、凸部２４が落ち込む空間がなく、凸部２４は段差底面３１ａに係止されてしまうため、内筒２を押下して第二スイッチ（タクトスイッチ１１）をＯＮにすることができない。当該変形例では、第二スイッチをＯＮにできるのは、鍵スイッチ装置１が第二状態にあり、かつ、凸部２４が縦長溝３４ａ内を軸方向に移動するときに限定される。
【符号の説明】
【００４８】
１      鍵スイッチ装置
２      内筒
２１    鍵穴
３      外筒
３５    係止部
７      スプリング（付勢部材）
８      可動子（可動接点、第一スイッチ）
１１    タクトスイッチ（第二スイッチ）
１３    端子（固定接点、第一スイッチ）
３１ｂ  間隙（移動空間）
３２ａ  間隙（移動空間）
３４ｂ  溝（移動空間）
６２ｂ  間隙（移動空間）
【図１】
2019114420.tif 000003
【図２】
2019114420.tif 000004
【図３】
2019114420.tif 000005
【図４Ａ】
2019114420.tif 000006
【図４Ｂ】
2019114420.tif 000007
【図５】
2019114420.tif 000008
【図６Ａ】
2019114420.tif 000009
【図６Ｂ】
2019114420.tif 000010
【図７Ａ】
2019114420.tif 000011
【図７Ｂ】
2019114420.tif 000012
【図８】
2019114420.tif 000013
【図９Ａ】
2019114420.tif 000014
【図９Ｂ】
2019114420.tif 000015
【図９Ｃ】
2019114420.tif 000016
【図９Ｄ】
2019114420.tif 000017
【図１０】
2019114420.tif 000018
【図１１】
2019114420.tif 000019
【図１２】
2019114420.tif 000020
【図１３】
2019114420.tif 000021
【図１４Ａ】
2019114420.tif 000022
【図１４Ｂ】
2019114420.tif 000023